(57)【要約】ボールペン（１）のペン先体（２）は、ボール（３）を覆うように設けられ、その軸部（６）の少なくとも一部が孔（５）に同軸状に挿入されて、前記ボールペン（１）の一部を形成する中空体（４）の端部（４ｆ）に嵌入される。前記軸部の前記少なくとも一部の外面に１つ以上の溝（７ｉ）が形成されており、当該溝は、前記軸部（６）の長手方向の軸（Ｚ−Ｚ）に平行に延びており、その長さ（Ｌ）は前記孔（５）の軸方向の長さ（Ｈ）に等しいかあるいはそれよりも長いため、前記溝（７ｉ）の両端部（Ｄ，Ｅ）が前記孔を越えてその両側に配置されることを特徴とする。
2006509657.tif 000002
【特許請求の範囲】
【請求項１】
ボールペン（１）のボール（３）を覆うように設けられ、その軸部（６）の少なくとも一部が孔（５）に同軸状に挿入されて、前記ボールペン（１）の一部を形成する中空体（４）の端部（４ｆ）に嵌入されるペン先体（２）であって、
前記軸部の前記少なくとも一部の外面に１つ以上の溝（７ｉ）が形成されており、当該溝は前記軸部（６）の長手方向の軸（Ｚ−Ｚ）に平行に延びており、その長さ（Ｌ）は前記孔（５）の軸方向の長さ（Ｈ）に等しいかあるいはそれよりも長いため、前記溝（７ｉ）の両端部（Ｄ，Ｅ）が前記孔を越えてその両側に配置されることを特徴とする、ボールペン先体。
【請求項２】
前記溝（７ｉ）が放射線状に配置されており、その断面が円弧状となっている、請求項１に記載のボールペン先体。
【請求項３】
前記軸部（６）の隣り合った２つの前記溝（７ｉ）の間の外面（９ｉ）のうち少なくとも２ヶ所に平坦部（９',９”）が設けられる、請求項１または２に記載のボールペン先体。
【請求項４】
前記軸部（６）の外面に螺旋状の溝あるいは窪みが１ヶ所設けられている、請求項１に記載のボールペン先体。
【発明の詳細な説明】
【技術分野】
【０００１】
本発明はボールペン先体に関し、さらに詳細には、ボールを覆うように設けられ、その軸部が、ボールペンの一部を形成する中空体の端部の孔に同軸状に挿入されるペン先体に関する。
【背景技術】
【０００２】
公知のように、インク溜インク溜（あるいは替え芯）から、ペン先体が嵌入される中空体へインクが確実に供給されるためには、軸部に外部から空気が入らなければならない。筆記中にインクが徐々に流れ出し、真空状態になるとインクの流れが止まるためである。従来技術においては、中空体の壁に開けた穴によって空気を通すか、あるいは、上記中空体の端部の孔を、内部に嵌入された軸部よりも少し大きくすることによりゆとりをもたせ、空気が入るのに十分な隙間を設けている。
【０００３】
中空体の壁に穴を開ける方法では美観上に問題があるため、ボールペンの種類によっては品質イメージに合わない場合がある。上記孔を軸部よりも大きくする方法では、正確な筆記動作に支障をきたし（筆記中にペン先体が孔の内部で動きやすいため）、入念に製造された丈夫かつ信頼できるボールペンであるというユーザの印象を得られなくなる。
【０００４】
ボールペンの製造において、型打ち、寸法加工、穿孔などの工程でペン先体をいかに早く冷却するかが問題となる。
【０００５】
単価の低い部品であるボールペン先体には速い生産速度が要求されており、ペン先体１つ当りの生産時間をわずかでも延ばすと、生産コストに多大な影響を及ぼしてしまう。
【発明の開示】
【０００６】
本発明によるボールペン先体は、上述の問題を解決する。ペン先体は中空体の端部に形成された孔に嵌入され、その軸部の外面の一部には１つあるいはそれ以上の溝が形成されており、その溝は軸部の長手方向の軸に平行に延びており、その長さは孔の軸方向の長さに等しいか好ましくは長い。
【０００７】
ペン先体を孔に挿入すると、溝の両端が孔を越えてその両側に配置される。この構成によって、通路が１つあるいはそれ以上設けられ、あらゆる条件下において空気が出入りできる。
【０００８】
溝は１つあるいはそれ以上設けられてもよいし、後述するように、軸部の軸に平行に設けられなくてもよい。また、溝は螺旋状に形成されてもよい。
【０００９】
ボールペンの製造工程の早い段階においてこの溝を設けることによって通気溝を１つ以上形成して、ペン先体と、さらに詳細には、製造工程においてクランプなどによってペン先体を掴むための部分とを冷却することができる。何よりもこの複数の溝によって、ペン先体全体と、ペン先体を冷却するための流体（空気、油など）との間で熱交換ができる表面が増える。
【００１０】
本発明の課題は、請求項１に記載のボールペン先体を提供することである。本発明によるペン先体の好ましい実施例は、添付の図面を参照しながら、以下に詳細に説明する。
【発明を実施するための最良の形態】
【００１１】
図２および３を参照すると、本発明に係るボールペン先体２が示されている。このペン先体２は従来のようにボール３を収容する先鋭端部と軸部６とを有する。この軸部はインク溜（図示せず）に公知の方法で取り付けられる細い後部８を含む。軸部６の外面には複数の溝７ｉが、軸部６の軸Ｚ-Ｚに平行に長さＬにて放射状に形成される。
【００１２】
図２および３に示すペン先体は、図１に示すように、中空体４に固着されるが、このとき溝７ｉを有する軸部が部分的に円筒状の孔５に対して同軸嵌合式に挿入される。この孔５は、ボールペン１の中空体４の端部４ｆに設けられている。
【００１３】
孔５の軸の長さＨは溝７ｉの長さＬよりも短いため、ペン先体２が中空体４に嵌入されると、溝７ｉの両端部Ｄ，Ｅが孔５を越えてそれぞれ配置される。この構成により、溝７ｉによって形成される複数の隙間を介して中空体４の内側と外側が連通し、筆記中にボール３に向かって流れるインク量の分だけ空気が入り、真空状態になることがない。
【００１４】
図示の実施例において溝７ｉは放射状に設けられ、その断面は円弧状であるが、他の配置方法や断面形状を採用してもよい。また、上記溝は軸部６の縦方向の軸Ｚ−Ｚに平行に延びているが、他の方向に延びてもよい。
【００１５】
上述のように、溝７ｉを設けることによって、ペン先体２の表面と製造過程において使用される冷却剤との間で熱交換ができる表面積がかなり大きくなる。さらに、本発明では、ペン先体を様々な製造過程においてより確実にクランプするために、軸部６の隣り合った２つの溝７ｉの間の外面９ｉのうち少なくとも２ヶ所に平坦部９',９”（図３を参照）が設けられる。
【００１６】
この２ヶ所の平坦部９',９”はペン先体２の軸Ｚ−Ｚを挟んで反対側に配置され、クランプなどに便利な接触面となる。
【００１７】
本発明者、外面９ｉをすべて平坦状にすればさらに有利であることを見出している。ペン先体に平坦状の外面９ｉを偶数ヶ所設けることによって、製造中の向きに関係なく一組の平面をしっかりと握ることができる。このようにして製造されたペン先体（図示せず）でも、孔５に挿入されるときには外面９ｉと溝７ｉが接する縁部Ｗ（図３）が孔５の内面に押し付けられるので、しっかりと嵌入される。
【００１８】
先に延べたように、本発明によるボールペン先体はその軸部の外面の一部に螺旋状の溝または窪みを、その端部が上記の実施例と同様に配置されるように、１つまたはそれ以上有してもよい。このような実施例は図示されていない。
【００１９】
本発明のペン先体２が取り付けられるボールペン１やインク溜については当業者には公知であり説明を必要としないため、本発明の明細書において、詳細に説明はしないし、図示もしない。
【図面の簡単な説明】
【００２０】
【図１】図１は、本発明のペン先体が中空体に嵌入された状態のボールペンの長手方向の部分断面図である。
【図２】図２は、複数の放射線状の溝を設けた、図１のペン先体の軸部の側面図である。
【図３】図３は、図１および２のペン先体の断面図である。
【図１】
2006509657.tif 000003
【図２】
2006509657.tif 000004
【図３】
2006509657.tif 000005
【国際調査報告】
2006509657.tif 000006
2006509657.tif 000007